(57)【特許請求の範囲】
【請求項１】
フェルール（８）で成端された光ファイバ（２）の先端同士を突き合わせ接続する光コネクタ（６）を定位置に保持するための光コネクタホルダ（１）であって、
板状の部材である本体（５）の上面（５ａ）に、弾性を有する挟持爪を任意の間隔を以て連設してなる列を複数列並設することにより列間で対向する挟持爪（７）の対を複数対形成し、該挟持爪の対に、一側の列の挟持爪間に挿通した光ファイバと他側の列の挟持爪間に挿通した光ファイバとを接続する光コネクタを挟持するように構成され、
対を形成する挟持爪を上下に配置し、上側に配置した挟持爪の上部に、
列間で対向する前記挟持爪間に挟持した光コネクタを構成する一対のフェルールの内の一方の上側に突出して、前記一方のフェルールを係止しかつ障害物の衝突から保護する係止爪（１２）を突設したことを特徴とする光コネクタホルダ。
【請求項２】
請求項１記載の光コネクタホルダにおいて、挟持爪の対が、複数の光コネクタを多段に積層して挟持可能とされていることを特徴とする光コネクタホルダ。
【請求項３】
請求項１または２記載の光コネクタホルダにおいて、本体を支持部材に着脱自在に固定する固定手段（１０）と、隣接する光コネクタホルダ同士を連結する連結手段（１３、１４）とを具備することを特徴とする光コネクタホルダ。
【発明の詳細な説明】
【０００１】
【発明の属する技術分野】
本発明は、光コネクタを定位置に保持するための光コネクタホルダに関する。
【０００２】
【従来の技術】
従来、光コネクタによって光ファイバ同士を接続するには、フェルールで成端された光ファイバの先端同士を突き合わせ接続する。
光ファイバ同士を切り替え可能に接続する場合には、例えば、ＪＩＳ  Ｃ  ５９８１に制定されるいわゆるＭＴコネクタ（Ｍｅｃｈａｎｉｃａｌｌｙ  Ｔｒａｎｓｆｅｒａｂｌｅ）が多用される。
【０００３】
【発明が解決しようとする課題】
ところで、前記光コネクタおよび該光コネクタによって接続された光ファイバは、光信号の伝送信頼性を維持するために振動等を与えないように安定に保持する必要があるが、従来、これら光コネクタや光ファイバを適宜位置において安定に保持する適当な保持具が提供されていなかった。このため、前記光コネクタや光ファイバの近傍にスペースを確保して接触を防止するなどの対策をとるなどの必要性があった。
また、光コネクタが多数になると、光コネクタや光ファイバの収納が大変である上、接続切り替えを行う場合には目的の光コネクタを取り出す作業に手間がかかるといった問題が生じていた。目的の光コネクタを取り出す際には、目的外の光コネクタや光ファイバに振動等の影響を与えてしまうといった問題もある。
【０００４】
本発明は、前述の課題に鑑みてなされたもので、光コネクタを適宜位置において安定に保持することができる光コネクタホルダを提供することを目的とするものである。
【０００５】
【課題を解決するための手段】
本発明は、前記課題を解決するため、以下の構成を採用した。
すなわち、請求項１記載の光コネクタホルダでは、フェルールで成端された光ファイバの先端同士を突き合わせ接続する光コネクタを定位置に保持するための光コネクタホルダであって、板状の部材である本体の上面に、弾性を有する挟持爪を任意の間隔を以て連設してなる列を複数列並設することにより列間で対向する挟持爪の対を複数対形成し、該挟持爪の対に、一側の列の挟持爪間に挿通した光ファイバと他側の列の挟持爪間に挿通した光ファイバとを接続する光コネクタを挟持するように構成され、対を形成する挟持爪を上下に配置し、上側に配置した挟持爪の上部に、列間で対向する前記挟持爪間に挟持した光コネクタを構成する一対のフェルールの内の一方の上側に突出して、前記一方のフェルールを係止しかつ障害物の衝突から保護する係止爪を突設したことを前記課題の解決手段とした。
【０００６】
請求項２記載の光コネクタホルダでは、請求項１記載の光コネクタホルダにおいて、挟持爪の対が、複数の光コネクタを多段に積層して挟持可能とされていることを前記課題の解決手段とした。
【０００７】
請求項３記載の光コネクタホルダでは、請求項１または２記載の光コネクタホルダにおいて、本体を支持部材に着脱自在に固定する固定手段と、隣接する光コネクタホルダ同士を連結する連結手段とを具備することを前記課題の解決手段とした。
【０００９】
【発明の実施の形態】
以下本発明の光コネクタホルダの実施の形態を、図１から図４を参照して説明する。
図中符号１は、本実施の形態の光コネクタホルダである。前記光コネクタホルダ１は、図１に示すように、支持部材４の定位置に固定した本体５を主体として構成されている。
【００１０】
本体５は、図２および図３、図４に示すように、樹脂等の適当な弾性を有する材料によって形成された概略長方形板状の部材であって、光コネクタとしてのＭＴコネクタ６を支持するものである。ＭＴコネクタ６は、ＪＩＳ  Ｃ  ５９８１に制定される光コネクタであり、それぞれ光ファイバ２（光ファイバテープ心線）を突き合わせ接続可能に成端する一対のフェルール８、８と、突き合わせ接続したフェルール８、８同士を外側からクランプすることにより突き合わせ力を付与するバネ６ａとを備え、フェルール８、８の突き合わせ接続により光ファイバ２、２同士を切り替え可能に光接続するようになっている。
【００１１】
本体５の上面５ａには、本体５と一体に形成された挟持爪７を本体５の両長辺に任意の間隔を以て複数連設することにより、挟持爪７の列が２列が並設され、これら列間で対向する挟持爪７の対が複数対形成されている。挟持爪７の対は、ＭＴコネクタ６のフェルール８同士を互いに圧接させる方向の押圧力を作用させてＭＴコネクタ６を挟持するように形成され、それぞれのＭＴコネクタ６における光接続軸線を平行として本体５に並列に配列されている。また、各挟持爪７の対は、ＭＴコネクタ６を２段に積層して挟持できるようになっている。
本体５の長手方向に隣設された挟持爪７の間は、ＭＴコネクタ６によって接続される光ファイバ２が挿通可能な幅を有するスリット９とされている。
【００１２】
本体５は、固定手段としてネジ１０を使用して支持部材４のホルダ支持部１１に着脱可能に固定されるようになっている。図１に示すように、ホルダ支持部１１は、支持部材４から約４５度に傾斜されている。このホルダ支持部１１には、その長手方向に沿って複数の光コネクタホルダ１が連設固定される。
図４に示すように、対を形成する挟持爪７の内の上側の挟持爪７の上部からは係止爪１２を突設している。係止爪１２は、光コネクタホルダ１に保持したＭＴコネクタ６を係止するとともに、該ＭＴコネクタ６を障害物の衝突から保護し、フェルール８間への埃等の侵入を防止する。光コネクタ６ではバネ６ａの外側にフェルール８の側部が露出するが、この光コネクタ６を光コネクタホルダ１に保持した時には、前記フェルール８のバネ６ａから外側に露出した部分が前記係止爪１２によって保護され、外側に露出しないので、障害物の衝突等によって損傷を受けるといった不都合が防止される。また、光コネクタホルダ１内では、前記挟持爪７と係止爪１２とによってフェルール８と挟持爪７との間に埃等が侵入することを防止できるため、フェルール８の清浄が維持される。
【００１３】
互いに隣設された光コネクタホルダ１同士は、図２に示すように、本体５の長手方向の一端に形成された係合爪１３と、他端に形成された係合突起１４とを係合することにより、互いに連結されている。係合爪１３と係合突起１４とは、共に光コネクタホルダ１同士を連結する連結手段として機能する。
【００１４】
以下、本発明の作用および効果を説明する。
前記光コネクタホルダ１は、手動でＭＴコネクタ６を挟持爪７の対に装着することにより、ＭＴコネクタ６を簡単に定位置に保持することができる。また、ＭＴコネクタ６において光ファイバ２を接続切り替えする場合には、手動で挟持爪７の対から目的のＭＴコネクタ６を取り出す。
この際、全てのＭＴコネクタ６が同一平面上に配列されているので、いずれのＭＴコネクタ６においても取り出し作業を効率良く行うことができる。また、光コネクタホルダ１相互の境界がＭＴコネクタ６の設置場所の目印になるので、ＭＴコネクタ６が多数であっても、容易に目的のＭＴコネクタ６を見付けることができる。さらに、接続切り替えするＭＴコネクタ６は、係止爪１２によって埃の付着等が防止されて、接続切り替え時におけるフェルール８の清浄の維持が容易なので、再接続時においても目的の接続損失を確実に得ることができる。
ネジ１０を取り外して、ＭＴコネクタ６を挟持したまま光コネクタホルダ１の設置位置を変更すれば、多数のＭＴコネクタ６を同時に効率良く移動することができる。光コネクタホルダ１をホルダ支持部１１に再度装着する際には、係合爪１３と係合突起１４とを係合させることにより、光コネクタホルダ１を容易に位置決めすることができる。
【００１５】
したがって、本実施の形態の光コネクタホルダ１によれば、多数のＭＴコネクタ６を定位置に安定に整理して保持することができ、しかもフェルール８の清浄の維持が容易であるので、接続切り替え等の作業性を向上することができる。また、一つの挟持爪７の対に複数のＭＴコネクタ６を挟持するので、より多数のＭＴコネクタ６を省スペースで保持することができる。
【００１６】
なお、本発明の光コネクタホルダは、前記実施の形態に限定されず各種変更が可能である。
支持部材としては、光コネクタに振動等の影響を与えない部材であれば、例えば、建築物の柱等の構造物であってもよい。
本体に並設する挟持爪の列は３列以上であってもよい。
各挟持爪の対は、３段以上積層した光コネクタを挟持可能に形成してもよい。こうすることにより、さらに多数の光コネクタに対応することができる。
【００１７】
【発明の効果】
以上説明したように、請求項１記載の光コネクタホルダによれば、支持部材に定位置に保持固定される本体の上面に、弾性を有する挟持爪を任意の間隔を以て連設してなる列を複数列並設することにより列間で対向する挟持爪の対を複数対形成し、該挟持爪の対に、一側の列の挟持爪間に挿通した光ファイバと他側の列の挟持爪間に挿通した光ファイバとを接続する光コネクタを挟持するようにしたことにより、適宜場所において複数の光コネクタを定位置に安定に保持することができるので、光信号の伝送信頼性が向上するとともに、多数の光コネクタを整理して保持することができるので、接続切り替え等の作業能率が向上する。
また、対を形成する挟持爪を上下に配置し、上側に配置した挟持爪の上部から突設した係止爪により前記挟持爪間に挟持した光コネクタを係止しかつ保護するようにしたことにより、光コネクタホルダに保持した光コネクタを障害物の衝突から保護することができるとともに、光コネクタへの埃の付着等を防止してフェルールの清浄を容易に維持できるので、所望の接続損失を確実に得ることができる。
【００１８】
請求項２記載の光コネクタホルダによれば、挟持爪の対を、複数の光コネクタを多段に積層して挟持可能としたので、多数の光コネクタを省スペースで効率良く保持することができる。
【００１９】
請求項３記載の光コネクタホルダでは、本体を支持部材に着脱自在に固定する固定手段と、隣接する光コネクタホルダ同士を連結する連結手段とを具備するので、位置決めが容易であり、光コネクタの保持の作業能率が向上する。
【図面の簡単な説明】
【図１】  本発明の光コネクタホルダの実施の形態を示す全体斜視図である。
【図２】  本発明の光コネクタホルダの実施の形態を示す平面図である。
【図３】  本発明の光コネクタホルダの実施の形態を示す側断面図である。
【図４】  本発明の光コネクタホルダの実施の形態を示す斜視図である。
【符号の説明】
１…光コネクタホルダ、２…光ファイバ（光ファイバテープ心線）、４…支持部材、５…本体、６…光コネクタ（ＭＴコネクタ６）、７…挟持爪、８…フェルール、１０…固定部材（ネジ）、１２…係止爪、１３…連結手段（係合爪）、１４…連結手段（係合突起）。
【図１】
0003771003.tif 000002
【図２】
0003771003.tif 000003
【図３】
0003771003.tif 000004
【図４】
0003771003.tif 000005